(57)【特許請求の範囲】
【請求項１】
少なくとも１つのヒータと、
前記ヒータを支持する支持装置とを備える塗料の乾燥装置であって、
前記支持装置は、基台と、該基台に立設された縦方向支柱と、前記ヒータを所定の高さに保持する保持部とを備え、前記保持部は、前記ヒータに取り付けられた横方向支柱と、該横方向支柱を前記縦方向支柱に沿って移動可能にすると共に前記縦方向支柱に固定可能にする移動固定部と、前記ヒータを吊り上げる吊上げ手段とを備え、該吊上げ手段は前記ヒータの近傍において前記ヒータを吊り上げるものであり、
前記吊上げ手段は、ワイヤ部と弾性部とを備え、前記ワイヤ部及び前記弾性部の一方が前記ヒータの近傍に取り付けられており、前記ワイヤ部及び前記弾性部の他方が前記保持部の下方に取り付けられており、前記吊上げ手段は、前記保持部の上方を介して前記ヒータの近傍と前記保持部の下方との間に張架され、
前記ヒータは、接続部材を介して前記横方向部材に取り付けられており、
前記ワイヤ部及び前記弾性部の一方は、前記横方向支柱における前記ヒータ側先端部に取り付けられていることを特徴とする塗料の乾燥装置。
【請求項２】
前記ヒータは、前記接続部材に対して回動可能に取り付けられていることを特徴とする請求項１に記載の塗料の乾燥装置。
【請求項３】
前記横方向支柱は該横方向支柱の長手方向に伸縮可能であることを特徴とする請求項１又は２記載の塗料の乾燥装置。
【請求項４】
前記縦方向支柱は垂直に前記基台に立設されており、前記移動固定部は前記横方向支柱を前記縦方向支柱に対して直交するように保持することを特徴とする請求項１乃至３のいずれか１項記載の塗料の乾燥装置。
【発明の詳細な説明】
【技術分野】
【０００１】
本発明は、塗料の乾燥装置に関する。
【背景技術】
【０００２】
塗料、例えば車のボディに塗装された塗料を乾燥するために使用される従来の塗料の乾燥装置は、ヒータと、乾燥装置を地面に固定するための基台と、基台に垂直に立設された支柱と、ヒータを支柱に固定する固定部とを有している。固定部は、支柱に沿って摺動可能に支柱に取り付けられており、固定部を支柱に沿って移動させることにより、ヒータの位置を上下方向において所望の位置に変更することができる。
【発明の開示】
【発明が解決しようとする課題】
【０００３】
しかしながら、従来の塗料の乾燥装置において、ヒータの上下方向の位置変更は手動で行われている。具体的には、固定部の固定を解除して、ヒータを人力で保持し、ヒータ及び固定部を支柱に沿って人力で摺動させながら所望の位置にヒータを動かし、再度固定部を操作してヒータを支柱に固定することにより、ヒータの位置変更を行っている。このように、ヒータの位置変更の際には、ヒータの重量に加えて、固定部の摺動によって生ずる固定部と支柱との間の摩擦力に抗してヒータを移動しなければならない。また、従来の塗料の乾燥装置は、一般的に、複数のヒータを有しており、この複数のヒータは１つの固定部によって支柱に固定されている。各ヒータの長手方向長さは、一般的に、０．６〜１．８ｍであり、その重さは２ｋｇから４０ｋｇ以上である。従って、１台の塗料の乾燥装置の有するヒータの重量は、数十ｋｇ以上である。このため、ヒータの重量は重く、また、ヒータの位置変更の際に固定部の摺動によって大きな摩擦力が生ずる。このように、従来の塗料の乾燥装置においては、ヒータの位置変更の際に操作者に掛かる負荷が非常に大きく、ヒータの位置変更のために非常に大きな労力が必要であり、ヒータの位置変更が困難であった。
【０００４】
本発明の目的は、ヒータの位置変更の際に操作者に掛かる負荷を軽減し、ヒータの位置変更を容易にすることができる塗料の乾燥装置を提供することにある。
【課題を解決するための手段】
【０００５】
上記目的を達成するために、本発明に係る塗料の乾燥装置は、少なくとも１つのヒータと、前記ヒータを支持する支持装置とを備える塗料の乾燥装置であって、前記支持装置は、基台と、該基台に立設された縦方向支柱と、前記ヒータを所定の高さに保持する保持部とを備え、前記保持部は、前記ヒータに取り付けられた横方向支柱と、該横方向支柱を前記縦方向支柱に沿って移動可能にすると共に前記縦方向支柱に固定可能にする移動固定部と、前記ヒータを吊り上げる吊上げ手段とを備え、該吊上げ手段は前記ヒータの近傍において前記ヒータを吊り上げるものであり、前記吊上げ手段は、ワイヤ部と弾性部とを備え、前記ワイヤ部及び前記弾性部の一方が前記ヒータの近傍に取り付けられており、前記ワイヤ部及び前記弾性部の他方が前記保持部の下方に取り付けられており、前記吊上げ手段は、前記保持部の上方を介して前記ヒータの近傍と前記保持部の下方との間に張架され、前記ヒータは、接続部材を介して前記横方向部材に取り付けられており、前記ワイヤ部及び前記弾性部の一方は、前記横方向支柱における前記ヒータ側先端部に取り付けられていることを特徴とする。
【０００６】
好ましくは、本発明の塗料の乾燥装置において、前記ヒータは、前記接続部材に対して回動可能に取り付けられている。
【０００７】
より好ましくは、本発明に係る塗料の乾燥装置において、前記横方向支柱は該横方向支柱の長手方向に伸縮可能である。
【０００８】
さらに好ましくは、本発明に係る塗料の乾燥装置において、前記縦方向支柱は垂直に前記基台に立設されており、前記移動固定部は前記横方向支柱を前記縦方向支柱に対して直交するように保持する。
【発明の効果】
【０００９】
本発明に係る塗料の乾燥装置によれば、ヒータを吊り上げる吊上げ手段が、ヒータの近傍において、ヒータを吊り上げる。このように、吊上げ手段がヒータを吊り上げるため、ヒータの位置変更の際に移動固定部の縦方向支柱に沿う摺動によって発生する摩擦力を低減することができ、ヒータの位置変更に必要な操作者の力を低減することができる。このため、ヒータの位置変更の際に操作者に掛かる負荷を軽減することができ、ヒータの位置変更を容易にすることができる。また、ヒータの吊り上げ力が、移動固定部から離れたヒータの近傍に作用するため、この吊り上げ力により移動固定部に生ずるモーメントを大きくすることができる。このため、ヒータの位置変更の際に生ずる摩擦力をより低減することができるので、操作者に掛かる負荷をより軽減することができ、ヒータの位置変更をより容易にすることができる。加えて、より小さな吊り上げ力で、ヒータの位置変更に必要な力をより低減することができる。
【００１０】
また、本発明の好ましい態様によれば、吊上げ手段は、ワイヤ部と弾性部とを備えるので、ヒータの位置変更の際に吊上げ手段が伸縮し、ヒータが吊上げ手段によって吊り上げられた状態であっても、容易にヒータの位置変更を行うことができる。また、ワイヤ部及び弾性部の一方がヒータの近傍に取り付けられており、ワイヤ部及び弾性部の他方が保持部の下方に取り付けられており、吊上げ手段は、保持部の上方を介してヒータの近傍と、保持部の下方との間に張架されているので、吊上げ手段がヒータの位置変更を妨害することがなく、ヒータの位置変更をより容易にすることができる。
【００１１】
本発明のより好ましい構成によれば、横方向支柱は、横方向支柱の長手方向に伸縮可能であるので、吊上げ力による移動固定部におけるモーメントの大きさを調整することができる。また、横方向支柱を長手方向に伸ばすことにより、吊上げ力による移動固定部におけるモーメントをより大きくすることができ、ヒータの位置変更の際に操作者に掛かる負荷をより軽減することができ、ヒータの位置変更をより容易にすることができる。
【００１２】
本発明の更に好ましい構成によれば、縦方向支柱は垂直に基台に立設されており、移動固定部は横方向支柱を縦方向支柱に対して直交するように保持するので、力の平衡を容易に設定することができる。
【発明を実施するための最良の形態】
【００１３】
以下、本発明の実施の形態について図面を参照しながら説明する。
【００１４】
図１は、本発明の実施の形態に係る塗料の乾燥装置の正面図であり、図２は、図１の塗料の乾燥装置の右側面図であり、図３は、図１の塗料の乾燥装置の左側面図であり、図４は、図１の塗料の乾燥装置の上面図である。
【００１５】
図１〜４に示すように、本発明の実施の形態に係る塗料の乾燥装置としての塗料乾燥装置１は、ヒータ装置１０と、ヒータ装置１０を支持する支持装置２０とを備える。この塗料乾燥装置１は、例えば、車のボディ等の金属に塗装された塗料を乾燥するために使用される。
【００１６】
ヒータ装置１０は、例えば、３つのヒータ１１，１２，１３を備える。ヒータ装置１０の備えるヒータの数はこの限りではなく、１つであっても複数であってもよい。ヒータ１１，１２，１３は、従来公知のヒータである。例えば、ヒータ１１，１２，１３は、同一形状同一サイズであり、長方形の筐体１１ａ，１２ａ，１３ａと、筐体１１ａ，１２ａ，１３ａ内に夫々設けられた赤外線発熱体１１ｂ，１２ｂ，１３ｂとを夫々備える。３つのヒータ１１，１２，１３は両側面において、左右一対のストリップ状の連結フレーム１４ａ，１４ｂに取り付けられている。ヒータ１１，１２，１３は、長手方向に垂直な横方向において等間隔に連結フレーム１４ａ，１４ｂに取り付けられている。また、ヒータ装置１０は、ヒータ装置１０を支持装置２０に接続するための接続フレーム１５を有する。接続フレーム１５は、図４に示すように、長片１５ａと、長片１５ａの両端に接続された一対の短片１５ｂ，１５ｃとから成り、その形状が略コの字型である。短片１５ｂ，１５ｃの自由端部は、連結フレーム１４ａ，１４ｂの長手方向略中央部分に取り付けられている。接続フレーム１５は、長片１５ａがヒータ１１，１２，１３の長手方向に平行に、短片１５ｂ、１５ｃがヒータ１１，１２，１３の放熱方向（図２，３の矢印ａ方向）に対して平行に、連結フレーム１４ａ，１４ｂに固定されている。接続フレーム１５は、連結フレーム１４ａ，１４ｂに回動可能に取り付けられていてもよく、この場合、ヒータ１１，１２，１３の放熱方向を任意の方向に変更することができる。
【００１７】
支持装置２０は、塗料乾燥装置１を地面に固定するための矩形の基台２１と、基台２１に垂直に立設された縦方向支柱２２と、ヒータ装置１０を保持する保持部３０とを備える。基台２１の４つの隅角部には、塗料乾燥装置１を移動可能にする車輪２３が取り付けられている。縦方向支柱２２は直線棒状部材であり、その上端には、後述する吊上げ部３３が張架されるプーリ２４が回動可能に軸支されている。
【００１８】
保持部３０は、縦方向支柱２２に沿って上下方向（図２，３の矢印ｂ方向）に摺動可能に縦方向支柱２２に取り付けられた移動固定部３１と、ヒータ装置１０を移動固定部３１に連結する横方向支柱３２と、ヒータ装置１０を上方に吊り上げる吊上げ部３３とを備える。移動固定部３１は、例えば、中空の筒状の形状をしており、塗料乾燥装置１において、中空部内に縦方向支柱２２が貫通配置されている。また、移動固定部３１は、固定装置３４を有しており、固定装置３４は、縦方向支柱２２において移動固定部３１を固定可能にする。固定装置３４は、従来公知のものであり、例えば、固定ボルトであって、移動固定部３１に設けられたねじ穴に螺合されて締め付けられることにより、移動固定部３１を縦方向支柱２２に固定可能にする。
【００１９】
このように、塗料乾燥装置１において、移動固定部３１は、ヒータ装置１０を上下方向において任意の位置に固定可能に構成されている。
【００２０】
横方向支柱３２は、図３に示すように、直線棒状部材であり、ヒータ装置１０の接続フレーム１５の長片１５ａの長手方向中央部に一端が取り付けられており、側面において移動固定部３１に取り付けられている。横方向支柱３２は、接続フレーム１５のヒータの放熱方向に平行に延びており、縦方向支柱２２に対して直交するように移動固定部３１に取り付けられている。また、横方向支柱３２は、長手方向（放熱方向）に従来公知の構成により伸縮可能に構成されている。例えば、横方向支柱３２は、図３に示すように、中空筒状の案内ケーシング３２ａと、放熱方向に延びる支柱３２ｂと、固定装置３２ｃとを備える。塗料乾燥装置１において、案内ケーシング３２ａは、放熱方向に向かって開放するように移動固定部３１に固定されている。また、支柱３２ｂは、その一端が上述のように接続フレーム１５に固定されており、また、案内ケーシング３２ａの中空部内に摺動可能に貫通配置されている。これにより、支柱３２ｂが放熱方向において案内ケーシング３２ａ内を移動可能となり、横方向支柱３２が、ヒータの放熱方向に平行に伸縮可能になっている。また、固定装置３２ｃは、移動固定部３１の固定装置３４と同様に従来公知のものであり、例えば、固定ボルトであって、案内ケーシング３２ａに設けられたねじ穴に螺合されて締め付けられることにより、支柱３２ｂを、つまりヒータ装置１０を、案内ケーシング３２ａに、即ち、縦方向支柱２２に固定可能にする。尚、横方向支柱３２は伸縮可能でなくてもよい。
【００２１】
このように、塗料乾燥装置１において、横方向支柱３２は、放熱方向に伸縮可能に構成されており、放熱方向において、ヒータ装置１０を任意の位置に固定可能に構成されている。
【００２２】
吊上げ部３３は、紐状の部材であり、ワイヤから成るワイヤ部３５と弾性体から成る弾性部３６とから構成されている。具体的には、ワイヤ部３５は金属製のワイヤから成り、弾性部３６は例えばコイルバネから成っており、ワイヤ部３５及び弾性部３６の一端が互いに接合されて形成されている。ワイヤ部３５は金属製のワイヤに限るものではなく、他の材料から成るワイヤであってもよい。また、弾性部３６はコイルバネに限るものではなく、他の弾性体、例えば、つるまきバネやゴム等であってもよい。
【００２３】
塗料乾燥装置１において、ワイヤ部３５の他端、つまり吊上げ部３３の一端３３ａが横方向支柱３２に、弾性部３６の他端、つまり吊上げ部３３の他端３３ｂが基台２１上に取り付けられている。また、ワイヤ部３５は、縦方向支柱２２のプーリ２４に張架されている。このように、吊上げ部３３は、図２，３に示すように、プーリ２４を介して横方向支柱３２と基台２１との間に張架されており、弾性部３６の弾性力が横方向支柱３２に作用し、横方向支柱３２を、つまりヒータ装置１０を上方に、より具体的には、ワイヤ部３５の方向に吊り上げる。ワイヤ部３５及び弾性部３６は、予め設定された長さに形成されており、上下方向におけるヒータ装置１０の任意の位置において、所望の吊り上げ力が作用するように設定されている。
【００２４】
また、吊上げ部３３の一端３３ａは、横方向支柱３２の支柱３２ｂの先端３７に取り付けられている。このように、吊上げ部３３の一端３３ａが、横方向支柱３２の支柱３２ｂにおいて縦方向支柱２２から最も遠い位置に取り付けられているので、吊上げ部３３の吊上げ力により発生する移動固定部３１周りのモーメントを大きくすることができる。このため、ヒータ装置１０の荷重によって移動固定部３１に、具体的には、固定装置３４、移動固定部３１及び縦方向支柱２２間、及び横方向支柱３２及び縦方向支柱２２間に作用する負荷を軽減することができる。また、この構成により、後述するように、ヒータ装置１０を上下方向において移動する際に、操作者に掛かる負担を軽減することができる。
【００２５】
吊上げ部３３の一端３３ａの取り付け位置が縦方向支柱２２から遠い程、上記吊上げ部３３による効果をより大きくすることができる。つまり、この効果は、吊上げ部３３の一端３３ａの取り付け位置が横方向支柱３２の先端３７でなくても達成することができる。従って、吊上げ部３３の一端３３ａの取り付け位置は、横方向支柱３２の先端３７に限るものではなく、横方向支柱３２の先端３７より縦方向支柱２２側の位置や、接続フレーム１５、ヒータ１１，１２，１３等のヒータ装置１０の近傍であってもよい。吊上げ部３３の一端３３ａの取り付け位置は、ヒータ装置１０の近傍が最も好ましい。吊上げ部３３の一端３３ａの取り付け位置が横方向支柱３２である場合は、塗料乾燥装置１の強度を向上させることができる。
【００２６】
次いで、上述の構成を有する塗料乾燥装置１における、ヒータ装置１０の上下方向位置の変更動作について説明する。
【００２７】
先ず、操作者は、移動固定部３１の固定装置３４による移動固定部３１の固定を解除し、移動固定部３１を上下方向に移動可能にする。そして、操作者はヒータ装置１０を保持し、ヒータ装置１０を上下方向における所望の位置に移動する。このとき、ヒータ装置１０の重量により、移動固定部３１と縦方向支柱２２との間には摩擦力が発生し、操作者はこの摩擦力に抗して移動固定部３１を摺動させてヒータ装置１０を移動させることになる。
【００２８】
ここで、上述のように、横方向支柱３２においてヒータ装置１０は吊上げ部３３によってヒータ装置１０の加重方向とは逆の上方に吊上げられており、ヒータ装置１０の移動の際に発生する移動固定部３１と縦方向支柱２２との間の摩擦力を軽減することができる。また、吊上げ部３３は、横方向支柱３２において縦方向支柱２２から最も遠い位置である支柱３２ｂの先端３７に取り付けられており、吊上げ部３３の吊上げ力によって移動固定部３１に発生するモーメントを大きくすることができる。従って、ヒータ装置１０の荷重によって移動固定部３１に作用するモーメントをより大きく低減又は相殺することができ、ヒータ装置１０の移動の際に発生する移動固定部３１と縦方向支柱２２との間の摩擦力をより大きく軽減又は相殺することができる。このため、ヒータ装置１０の移動の際に必要となる上記摩擦力に抗する力が軽減若しくは削除され、ヒータ装置１０の移動のために必要となる操作者の力が軽減され、操作者に掛かる負荷をより軽減することができ、ヒータの位置変更をより容易にすることができる。
【００２９】
上述のように、本発明の実施の形態に係る塗料乾燥装置によれば、吊上げ部３３が、移動固定部３１（縦方向支柱２２）から離れた、ヒータ装置１０の近傍において、ヒータ装置１０を吊り上げているため、吊上げ部３３の吊り上げ力によって移動固定部３１に生ずるモーメントを大きくすることができる。このため、ヒータ装置１０の位置変更の際に移動固定部３１の縦方向支柱２２に沿う摺動によって移動固定部３１と縦方向支柱２２との間に生ずる摩擦力を効率よく低減することができ、又は削除することができる。従って、ヒータ装置１０の位置変更の際に操作者に掛かる負荷を軽減することができ、ヒータ装置１０の位置変更を容易にすることができる。加えて、吊上げ部３３の吊り上げ力によって移動固定部３１に生ずるモーメントを大きくすることができるので、より小さな吊り上げ力で、ヒータ装置１０の位置変更に必要な力をより低減することができる。
【００３０】
また、吊上げ部３３が、ヒータ装置１０を吊り上げているため、ヒータ装置１０の位置変更の際に発生する摩擦力を低減することができ、ヒータ装置１０の位置変更に必要な操作者の力をより低減することができる。このため、ヒータ装置１０の位置変更の際に操作者に掛かる負荷をより軽減することができ、ヒータ装置１０の位置変更をより容易にすることができる。
【００３１】
また、吊上げ部３３が、ワイヤ部３５と弾性部３６とを備えるので、ヒータ装置１０の位置変更の際に吊上げ部３が伸縮するため、ヒータ装置１０が吊上げ部３３によって吊り上げられた状態であっても、容易にヒータ装置１０の位置変更を行うことができる。
【００３２】
また、吊上げ部３３は、その一端３３ａが横方向支柱３２に、その他端３３ｂが基台２１に取り付けられており、縦方向支柱２２の上部に取り付けられたプーリ２４を介して横方向支柱３２と基台２１との間に張架されているので、吊上げ部３３がヒータ装置１０の位置変更の妨害となることがなく、ヒータ装置１０の位置変更をより容易にすることができる。
【００３３】
尚、本発明の実施の形態において、弾性部３６の一端は基台２１に夫々取り付けられているものとしたが、弾性部３６の一端の取り付け位置はこれに限るものではない。例えば、弾性部３６の一端は縦方向支柱２２に取り付けられていてもよい。また、本発明の実施の形態において、ワイヤ部３５の一端及び弾性部３６の一端が横方向支柱３２及び基台２１に夫々取り付けられているものとしたが、ワイヤ部３５の一端及び弾性部３６の一端が基台２１及び横方向支柱３２に夫々取り付けられていてもよい。
【００３４】
また、横方向支柱３２は、横方向支柱３２の長手方向（放熱方向）に伸縮可能であるので、吊上げ部３３の吊上げ力によって生ずる移動固定部３１におけるモーメントの大きさを調整することができる。加えて、横方向支柱３２を長手方向に伸ばすことにより、吊上げ部３３の吊上げ力による移動固定部３１におけるモーメントをより大きくすることができ、ヒータ装置１０の位置変更の際に操作者に掛かる負荷をより軽減することができ、ヒータ装置１０の位置変更をより容易にすることができる。
【００３５】
更に、縦方向支柱２２は垂直に基台に立設されており、移動固定部３１は横方向支柱３２を縦方向支柱２２に対して直交するように保持するので、力の平衡を容易に設定することができる。
【００３６】
尚、本発明の実施の形態において、弾性部３６の一端は基台２１に取り付けられているものとしたが、弾性部３６の一端の取り付け位置はこれに限るものではない。例えば、弾性部３６の一端は縦方向支柱２２に取り付けられていてもよい。
【００３７】
また、縦方向支柱２２は垂直に基台２１に立設されており、移動固定部３１は横方向支柱３２を縦方向支柱２２に対して直交するように保持するものとしたが、縦方向支柱２２、横方向支柱３２の位置関係はこれに限るものではない。
【００３８】
更に、本発明は上記本発明の実施の形態に限るものではなく、その材料、寸法、構成等は任意に変更してもよい。
【図面の簡単な説明】
【００３９】
【図１】本発明の実施の形態に係る塗料の乾燥装置の正面図である。
【図２】図１の塗料の乾燥装置の右側面図である。
【図３】図１の塗料の乾燥装置の左側面図である。
【図４】図１の塗料の乾燥装置の上面図である。
【符号の説明】
【００４０】
１  塗料乾燥装置
１０  ヒータ装置
１１，１２，１３  ヒータ
１４ａ，１４ｂ  連結フレーム
１５  接続フレーム
２０  支持装置
２１  基台
２２  縦方向支柱
２４  プーリ
３０  保持部
３１  移動固定部
３２  横方向支柱
３２ａ  案内ケーシング
３２ｂ  支柱
３２ｃ  固定装置
３３  吊上げ部
３４  固定装置
３５  ワイヤ部
３６  弾性部
３７  先端
【図１】
0005276313.tif 000002
【図２】
0005276313.tif 000003
【図３】
0005276313.tif 000004
【図４】
0005276313.tif 000005